(57)【要約】【課題】データ管理に関するセキュリティの低下を抑制しつつ、管理又は監視等の業務の改善を図ること。【解決手段】認証方法は、１又は複数の施設Ｆ１内における監視、管理及び制御の少なくとも１つを行う統合システム１の複数のサーバ２に関する。複数のサーバ２は、少なくとも第１サーバ２１と第２サーバ２２とを含む。認証方法は、第１ステップと第２ステップと第３ステップとを含む。第１ステップにて、第１サーバ２１に対する第１アクセスのための認証を受け付ける。第２ステップにて、第１アクセスのための認証に成功した場合に、第１アクセスを可能にする。第３ステップにて、第１アクセスのための認証に成功した場合に、さらに第２サーバ２２に対する第２アクセスに関する認証処理を実行して、第２アクセスを可能にする。【選択図】図１
2020184115.tif 000002
【特許請求の範囲】
【請求項１】
１又は複数の施設内における監視、管理及び制御の少なくとも１つを行う統合システムの複数のサーバに関する認証方法であって、前記複数のサーバは、少なくとも第１サーバと第２サーバとを含み、
前記第１サーバに対する第１アクセスのための認証を受け付ける第１ステップと、
前記第１アクセスのための認証に成功した場合に、前記第１アクセスを可能にする第２ステップと、
前記第１アクセスのための認証に成功した場合に、さらに前記第２サーバに対する第２アクセスに関する認証処理を実行して、前記第２アクセスを可能にする第３ステップと、
を含む、
認証方法。
【請求項２】
前記第１サーバは、第１対象に関する前記監視、前記管理、及び前記制御の少なくとも１つを行い、
前記第２サーバは、前記第１対象とは異なる第２対象に関する前記監視、前記管理、及び前記制御の少なくとも１つを行い、
前記第１対象は、前記１又は複数の施設内における、設備及びエリアの少なくとも１つである、
請求項１に記載の認証方法。
【請求項３】
前記統合システムにおける、前記第１サーバ及び前記第２サーバと通信可能に接続される管理端末にて、前記第１ステップ、前記第２ステップ、及び前記第３ステップを実行する、
請求項１又は請求項２に記載の認証方法。
【請求項４】
前記複数のサーバのいずれかのサーバにて、前記第１ステップ、前記第２ステップ、及び前記第３ステップを実行する、
請求項１又は請求項２に記載の認証方法。
【請求項５】
１又は複数の施設内における監視、管理及び制御の少なくとも１つを行う統合システムの複数のサーバに関する情報を、画面表示する表示部を有した表示システムの表示方法であって、前記複数のサーバは、少なくとも第１サーバと第２サーバとを含み、
前記第１サーバに対する第１アクセスのための認証を受け付ける第１ウィンドウを前記表示部に表示する第１ステップと、
前記第１アクセスのための認証に成功した場合に、前記第１サーバから取得される第１情報と、前記認証の成功に伴って実行される前記第２サーバに対する第２アクセスにより前記第２サーバから取得される第２情報と、に関する第２ウィンドウを、前記表示部に表示する第２ステップと、
を含む、
表示方法。
【請求項６】
前記第２ウィンドウは、前記認証に成功したユーザに報知するための、前記第１情報及び前記第２情報に基づく報知情報を含む、
請求項５に記載の表示方法。
【請求項７】
前記報知情報は、前記第１サーバ又は前記第２サーバを特定可能な情報を含む、
請求項６に記載の表示方法。
【請求項８】
前記第２ウィンドウは、前記第１サーバ及び前記第２サーバに対するアクセスの状態を示す状態情報を含む、
請求項５〜７のいずれか１項に記載の表示方法。
【請求項９】
１又は複数の施設内における監視、管理及び制御の少なくとも１つを行う統合システムの複数のサーバに関する情報を、画面表示する表示部を有した表示システムの表示方法であって、前記複数のサーバは、少なくとも第１サーバと第２サーバとを含み、
前記第１サーバに対する第１アクセスのための認証を受け付ける認証ウィンドウを前記表示部に表示する認証表示ステップと、
前記第１アクセスのための認証に成功した場合に、前記第１サーバから取得される第１情報に関する主ウィンドウを、前記表示部に表示する主表示ステップと、
前記主ウィンドウ上における選択操作に応じて、前記第２サーバに対する第２アクセスにより前記第２サーバから取得される第２情報に関する副ウィンドウを、前記表示部に表示する副表示ステップと、
を含む、
表示方法。
【請求項１０】
前記主ウィンドウは、前記第１サーバ又は前記第２サーバを特定可能な情報を含む、
請求項９に記載の表示方法。
【請求項１１】
前記主ウィンドウは、前記第１サーバ及び前記第２サーバに対するアクセスの状態を示す状態情報を含む、
請求項９又は請求項１０に記載の表示方法。
【請求項１２】
前記主ウィンドウは、操作領域を含み、
前記副表示ステップにて、前記操作領域に対する選択操作に応じて、前記副ウィンドウを含む複数の副ウィンドウに関する画面遷移を実行する、
請求項９〜１１のいずれか１項に記載の表示方法。
【請求項１３】
前記第１情報は、前記第１サーバが管轄する第１エリアで発生するイベントに関する第１イベント情報を少なくとも含み、
前記第２情報は、前記第２サーバが管轄する第２エリアで発生するイベントに関する第２イベント情報を少なくとも含み、
前記主ウィンドウは、前記第１イベント情報と前記第２イベント情報の両方を表示するための表示領域を含む、
請求項９〜１２のいずれか１項に記載の表示方法。
【請求項１４】
前記第１情報は、前記第１サーバが管轄する第１エリアに関する第１マップ情報を少なくとも含み、
前記第２情報は、前記第２サーバが管轄する第２エリアに関する第２マップ情報を少なくとも含み、
前記主ウィンドウは、前記第１マップ情報と前記第２マップ情報とを切り替えるための
操作領域を含み、
前記副表示ステップは、前記操作領域に対する選択操作に応じて、前記第１マップ情報を示す第１副ウィンドウと、前記副ウィンドウとしての前記第２マップ情報を示す第２副ウィンドウと、を切り替える切替ステップを含む、
請求項９〜１３のいずれか１項に記載の表示方法。
【請求項１５】
１以上のプロセッサに、請求項１〜４のいずれか１項に記載の認証方法、又は請求項５〜１４のいずれか１項に記載の表示方法を実行させるためのプログラム。
【請求項１６】
１又は複数の施設内における監視、管理及び制御の少なくとも１つを行う統合システムの複数のサーバに関する認証を行う認証システムであって、前記複数のサーバは、少なくとも第１サーバと第２サーバとを含み、
前記第１サーバに対する第１アクセスのための認証を受け付ける受付部と、
前記第１アクセスのための認証の成否に関する認証処理を実行し、前記第１アクセスのための認証に成功した場合に、前記第１アクセスを可能にする認証処理部と、
を備え、
前記認証処理部は、前記第１アクセスのための認証に成功した場合に、さらに前記第２サーバに対する第２アクセスに関する認証処理を実行して、前記第２アクセスを可能にする、
認証システム。
【請求項１７】
１又は複数の施設内における監視、管理及び制御の少なくとも１つを行う統合システムの複数のサーバに関する情報を、画面表示する表示部を備えた表示システムであって、前記複数のサーバは、少なくとも第１サーバと第２サーバとを含み、
前記第１サーバに対する第１アクセスのための認証を受け付ける第１ウィンドウを前記表示部に表示させる画像処理部を、更に備え、
前記画像処理部は、前記第１アクセスのための認証に成功した場合に、前記第１サーバから取得される第１情報と、前記認証の成功に伴って実行される前記第２サーバに対する第２アクセスにより前記第２サーバから取得される第２情報と、に関する第２ウィンドウを、前記表示部に表示させる、
表示システム。
【請求項１８】
１又は複数の施設内における監視、管理及び制御の少なくとも１つを行う統合システムの複数のサーバに関する情報を、画面表示する表示部を備えた表示システムであって、前記複数のサーバは、少なくとも第１サーバと第２サーバとを含み、
前記第１サーバに対する第１アクセスのための認証を受け付ける認証ウィンドウを前記表示部に表示させる画像処理部を、更に備え、
前記画像処理部は、
前記第１アクセスのための認証に成功した場合に、前記第１サーバから取得される第１情報に関する主ウィンドウを、前記表示部に表示させ、
前記主ウィンドウ上における選択操作に応じて、前記第２サーバに対する第２アクセスにより前記第２サーバから取得される第２情報に関する副ウィンドウを、前記表示部に表示させる、
表示システム。
【発明の詳細な説明】
【技術分野】
【０００１】
本開示は、一般に、認証方法、表示方法、プログラム、認証システム、及び表示システムに関する。より詳細には、本開示は、監視、管理及び制御の少なくとも１つを行う統合システムの複数のサーバに関する認証方法、当該複数のサーバに関する情報を画像表示する表示方法、プログラム、認証システム、及び表示システムに関する。
【背景技術】
【０００２】
従来例として、特許文献１に記載の入退管理システム（統合システム）を例示する。この入退管理システムは、利用者が所持する識別子を持つ識別体と、建物に存在する管理領域の出入口における扉近傍に設けられる識別装置と、認証成立とみなすと扉の解錠を許可する指示を行う制御装置としてのコントローラと、を備える。コントローラは、遠隔地に設置されて建物以外の他の建物を含む管理対象となる建物毎の管理領域における全ての扉の解錠の成否に関するデータを管理する入退室センタ装置と、通信回線を介して接続される。
【先行技術文献】
【特許文献】
【０００３】
【特許文献１】特開２０１７−８９１６１号公報
【発明の概要】
【発明が解決しようとする課題】
【０００４】
ところで、統合システムにおいて、複数の施設における全ての扉の解錠の成否に関するデータを入退室センタ装置で一括管理する場合、入退室センタ装置の管理者や監視者にとっては、表示部を通じてデータの閲覧が可能であることが望まれる場合がある。しかし、表示部によるデータの閲覧が可能になると、データ管理のセキュリティ面を考慮すると、グループ単位（１又は複数のコントローラに接続されるサーバ単位）でアクセス用の認証処理を行うことが望ましい。一方で、管理者又は監視者にとって、グループ毎にその都度認証用の入力が必要となると、管理又は監視等の業務が煩雑になる可能性がある。
【０００５】
本開示は上記事由に鑑みてなされ、データ管理に関するセキュリティの低下を抑制しつつ、管理又は監視等の業務の改善を図ることができる、認証方法、表示方法、プログラム、認証システム、及び表示システムを提供することを目的とする。
【課題を解決するための手段】
【０００６】
本開示の一態様の認証方法は、１又は複数の施設内における監視、管理及び制御の少なくとも１つを行う統合システムの複数のサーバに関する認証方法である。前記複数のサーバは、少なくとも第１サーバと第２サーバとを含む。前記認証方法は、第１ステップと、第２ステップと、第３ステップと、を含む。前記第１ステップにて、前記第１サーバに対する第１アクセスのための認証を受け付ける。前記第２ステップにて、前記第１アクセスのための認証に成功した場合に、前記第１アクセスを可能にする。前記第３ステップにて、前記第１アクセスのための認証に成功した場合に、さらに前記第２サーバに対する第２アクセスに関する認証処理を実行して、前記第２アクセスを可能にする。
【０００７】
本開示の一態様の表示方法は、１又は複数の施設内における監視、管理及び制御の少なくとも１つを行う統合システムの複数のサーバに関する情報を、画面表示する表示部を有した表示システムの表示方法である。前記複数のサーバは、少なくとも第１サーバと第２サーバとを含む。前記表示方法は、第１ステップと、第２ステップと、を含む。前記第１ステップにて、前記第１サーバに対する第１アクセスのための認証を受け付ける第１ウィンドウを前記表示部に表示する。前記第２ステップにて、前記第１アクセスのための認証に成功した場合に、第２ウィンドウを、前記表示部に表示する。前記第２ウィンドウは、前記第１サーバから取得される第１情報と、前記認証の成功に伴って実行される前記第２サーバに対する第２アクセスにより前記第２サーバから取得される第２情報と、に関する。
【０００８】
本開示の一態様の表示方法は、１又は複数の施設内における監視、管理及び制御の少なくとも１つを行う統合システムの複数のサーバに関する情報を、画面表示する表示部を有した表示システムの表示方法である。前記複数のサーバは、少なくとも第１サーバと第２サーバとを含む。前記表示方法は、認証表示ステップと、主表示ステップと、副表示ステップと、を含む。前記認証表示ステップにて、前記第１サーバに対する第１アクセスのための認証を受け付ける認証ウィンドウを前記表示部に表示する。前記主表示ステップにて、前記第１アクセスのための認証に成功した場合に、前記第１サーバから取得される第１情報に関する主ウィンドウを、前記表示部に表示する。前記副表示ステップにて、前記主ウィンドウ上における選択操作に応じて、前記第２サーバに対する第２アクセスにより前記第２サーバから取得される第２情報に関する副ウィンドウを、前記表示部に表示する。
【０００９】
本開示の一態様のプログラムは、１以上のプロセッサに、上記の認証方法、又は上記のいずれかの表示方法を実行させるためのプログラム。
【００１０】
本開示の一態様の認証システムは、１又は複数の施設内における監視、管理及び制御の少なくとも１つを行う統合システムの複数のサーバに関する認証を行う。前記複数のサーバは、少なくとも第１サーバと第２サーバとを含む。前記認証システムは、受付部と、認証処理部と、を備える。前記受付部は、前記第１サーバに対する第１アクセスのための認証を受け付ける。前記認証処理部は、前記第１アクセスのための認証の成否に関する認証処理を実行し、前記第１アクセスのための認証に成功した場合に、前記第１アクセスを可能にする。前記認証処理部は、前記第１アクセスのための認証に成功した場合に、さらに前記第２サーバに対する第２アクセスに関する認証処理を実行して、前記第２アクセスを可能にする。
【００１１】
本開示の一態様の表示システムは、１又は複数の施設内における監視、管理及び制御の少なくとも１つを行う統合システムの複数のサーバに関する情報を、画面表示する表示部を備える。前記複数のサーバは、少なくとも第１サーバと第２サーバとを含む。前記表示システムは、前記第１サーバに対する第１アクセスのための認証を受け付ける第１ウィンドウを前記表示部に表示させる画像処理部を、更に備える。前記画像処理部は、前記第１アクセスのための認証に成功した場合に、第２ウィンドウを、前記表示部に表示させる。前記第２ウィンドウは、前記第１サーバから取得される第１情報と、前記認証の成功に伴って実行される前記第２サーバに対する第２アクセスにより前記第２サーバから取得される第２情報と、に関する。
【００１２】
本開示の一態様の表示システムは、１又は複数の施設内における監視、管理及び制御の少なくとも１つを行う統合システムの複数のサーバに関する情報を、画面表示する表示部を備える。前記複数のサーバは、少なくとも第１サーバと第２サーバとを含む。前記表示システムは、前記第１サーバに対する第１アクセスのための認証を受け付ける認証ウィンドウを前記表示部に表示させる画像処理部を、更に備える。前記画像処理部は、前記第１アクセスのための認証に成功した場合に、前記第１サーバから取得される第１情報に関する主ウィンドウを、前記表示部に表示させる。また前記画像処理部は、前記主ウィンドウ上における選択操作に応じて、前記第２サーバに対する第２アクセスにより前記第２サーバから取得される第２情報に関する副ウィンドウを、前記表示部に表示させる。
【発明の効果】
【００１３】
本開示によれば、データ管理に関するセキュリティの低下を抑制しつつ、管理又は監視等の業務の改善を図ることができる、という利点がある。
【図面の簡単な説明】
【００１４】
【図１】図１は、一実施形態に係る認証システム及び表示システムを備えた統合システムの構成を示す概念図である。
【図２】図２は、同上の表示システムにおける認証ウィンドウ及び主ウィンドウを説明するための概念図である。
【図３】図３は、同上の表示システムにおける主ウィンドウ及び副ウィンドウを説明するための概念図である。
【図４】図４は、同上の表示システムにおける主ウィンドウ及び副ウィンドウを説明するための概念図である。
【図５】図５は、同上の統合システムにおける動作例の説明図である。
【発明を実施するための形態】
【００１５】
（１）概要
以下の実施形態において説明する各図は、模式的な図であり、各図中の各構成要素の大きさ及び厚さそれぞれの比が、必ずしも実際の寸法比を反映しているとは限らない。
【００１６】
本実施形態に係る認証方法は、１又は複数（図１では２つ）の施設Ｆ１内における監視、管理及び制御の少なくとも１つを行う統合システム１の複数のサーバ２に関する認証方法である（図１参照）。複数のサーバ２は、少なくとも第１サーバ２１と第２サーバ２２と（図１ではこの２つのみ図示）を含む。さらにここでは、複数のサーバ２は、ＩＤ管理サーバ８も更に含む。
【００１７】
以下では一例として、統合システム１は、オフィスビル等の施設Ｆ１における入退室の管理、及び施設Ｆ１内の１又は複数のエリア４の監視を行うための、入退室管理システムとしての機能を有することを想定する。言い換えると、統合システム１は、施設Ｆ１内における「管理」及び「監視」を行う。しかし、統合システム１は、入退室管理の機能の代わりに（又は加えて）、施設Ｆ１内における電気機器の「制御」及び「管理」を行うＢＥＭＳ（Building Energy Management System）としての機能を有してもよい。また施設Ｆ１は、オフィスビル以外に、劇場、映画館、公会堂、遊技場、複合施設、飲食店、百貨店、学校、ホテル、旅館、病院、老人ホーム、幼稚園、図書館、博物館、美術館、地下街、駅、空港等の非住宅施設でもよい。また施設Ｆ１は、非住宅施設以外に、戸建住宅、又はマンション等の集合住宅でもよい。
【００１８】
統合システム１が管理及び監視する施設Ｆ１が複数ある場合、複数の施設Ｆ１は、特定の地域内（例えば同一町内）に存在する施設であってもよいし、互いに離れた地域（例えば都道府県を跨ぐ地域）にそれぞれ存在する施設でもよい。
【００１９】
第１サーバ２１及び第２サーバ２２は、２つの施設Ｆ１に関する情報を、それぞれ管轄する。第１サーバ２１の管轄する施設Ｆ１を、第１施設Ｆ１１と呼び、第２サーバ２２の管轄する施設Ｆ１を、第２施設Ｆ１２と呼ぶこともある。ただし、各サーバ２が管轄する対象は、施設Ｆ１の単位でなくてもよく、例えば、第１サーバ２１は、ある施設Ｆ１の低層階を管轄し、第２サーバ２２は、同施設Ｆ１の高層階を管轄してもよい。
【００２０】
ここで認証方法は、第１ステップと、第２ステップと、第３ステップと、を含む。第１ステップにて、第１サーバ２１に対する第１アクセスのための認証を受け付ける。第２ステップにて、第１アクセスのための認証に成功した場合に、第１アクセスを可能にする。第３ステップにて、第１アクセスのための認証に成功した場合に、さらに第２サーバ２２に対する第２アクセスに関する認証処理を実行して、第２アクセスを可能にする。なお、以下では、認証方法の第１〜第３ステップが、統合システム１のＩＤ管理サーバ８（図１参照）で実行されることを想定する。
【００２１】
この構成によれば、第１アクセスのための認証に成功した場合に、第２サーバ２２に対する第２アクセスのための認証を受け付けることなく、第２アクセスに関する認証処理を実行して、第２アクセスを可能にする。そのため、統合システム１を利用するユーザ（例えば施設Ｆ１の管理者又は監視者）にとっては、第１アクセスのための認証に関する入力を行った後に、さらに第２アクセスのための認証に関する入力を行うといった手間が省ける。その結果、データ管理に関するセキュリティの低下を抑制しつつ、管理又は監視等の業務の改善を図ることができる。
【００２２】
また本実施形態の一の態様に係る表示方法は、統合システム１の複数のサーバ２に関する情報を、画面表示する表示部６１を有した表示システム６（図１参照）の表示方法である。ここでは、表示システム６は、ＩＤ管理サーバ８とは別体の監視装置５に適用される。
【００２３】
ここで表示方法は、第１ステップと、第２ステップと、を含む。第１ステップにて、第１サーバ２１に対する第１アクセスのための認証を受け付ける第１ウィンドウ（認証ウィンドウＷ１：図２参照）を表示部６１に表示する。第２ステップにて、第１アクセスのための認証に成功した場合に、第２ウィンドウ（主ウィンドウＷ２：図２参照）を、表示部６１に表示する。第２ウィンドウ（主ウィンドウＷ２）は、第１サーバ２１から取得される第１情報と、認証の成功に伴って実行される第２サーバ２２に対する第２アクセスにより第２サーバ２２から取得される第２情報と、に関する。
【００２４】
この構成によれば、第１アクセスのための認証に成功した場合に、第１サーバ２１から取得される第１情報と、第２サーバ２２から取得される第２情報と、に関する第２ウィンドウ（主ウィンドウＷ２）が表示される。そのため、データ管理に関するセキュリティの低下を抑制しつつ、管理又は監視等の業務の改善を図ることができる。
【００２５】
また本実施形態の別の態様に係る表示方法は、認証表示ステップと、主表示ステップと、副表示ステップと、を含む。認証表示ステップにて、第１サーバ２１に対する第１アクセスのための認証を受け付ける認証ウィンドウＷ１を表示部６１に表示する。主表示ステップにて、第１アクセスのための認証に成功した場合に、第１サーバ２１から取得される第１情報に関する主ウィンドウＷ２を、表示部６１に表示する。副表示ステップにて、主ウィンドウＷ２上における選択操作に応じて、第２サーバ２２に対する第２アクセスにより第２サーバ２２から取得される第２情報に関する副ウィンドウＷ３を、表示部６１に表示する。
【００２６】
この構成によれば、第１アクセスのための認証に成功した場合に、第１サーバ２１から取得される第１情報に関する主ウィンドウＷ２が表示され、第２サーバ２２から取得される第２情報に関する副ウィンドウＷ３が表示される。そのため、データ管理に関するセキュリティの低下を抑制しつつ、管理又は監視等の業務の改善を図ることができる。
【００２７】
（２）詳細
以下、本実施形態に係る統合システム１の全体構成について、図１〜図５を参照しながら詳しく説明する。
【００２８】
（２．１）全体構成
本実施形態に係る統合システム１は、図１に示すように、監視装置５と、ＩＤ管理サーバ８（認証サーバ）と、第１施設Ｆ１１を管轄する第１グループＧ１と、第２施設Ｆ１２を管轄する第２グループＧ２と、を備えている。統合システム１は、上述の通り一例として、入退室管理システムとしての機能を有する。
【００２９】
（２．２）入退室管理
以下、第１グループＧ１及び第２グループＧ２について説明する。
【００３０】
第１グループＧ１は、図１に示すように、例えば、第１サーバ２１と、複数（図示例では３つ）のコントローラ３（設備）とから構成される。第１グループＧ１は、第１施設Ｆ１１内における１又は複数のエリア４に設置される１又は複数の撮像部（設備：例えばカメラ）を更に含んでもよい。第１グループＧ１は、１又は複数のエリア４内に設置されてエリア４内に存在する人を検知する１又は複数の人感センサ（設備）を更に含んでもよい。各エリア４は、例えば１フロアに相当してもよい。
【００３１】
各コントローラ３は、例えば、第１施設Ｆ１１において入館や入室等に対して制限を設けるべき領域の扉（セキュリティゲート）近傍に設置されて、当該扉の解錠及び施錠の制御を行う。各コントローラ３は、例えば、特定の権限が付与された識別情報を有する非接触ＩＣ（Integrated Circuit）カードから、識別情報を読み取ることが可能なカードリーダーと通信可能に接続される。第１施設Ｆ１１を利用する利用者が、非接触ＩＣカードを、カードリーダーに近づけることで、コントローラ３は、識別情報の認証を行い、認証に成功すれば、扉の解錠を実行する。各コントローラ３は、暗証番号を入力する操作パネルと通信可能に接続されてもよい。各コントローラ３は、指紋、虹彩、又は声紋等の認証機能を有する機器と通信可能に接続されてもよい。
【００３２】
第１サーバ２１は、本開示における「複数のサーバ２」を構成する１つのサーバである。第１サーバ２１は、例えばＷｅｂサーバである。第１サーバ２１は、第１施設Ｆ１１内の部屋（サーバ管理室等）に設置される。第１サーバ２１は、第１グループＧ１に属する複数のコントローラ３、撮像部、及び人感センサ等と通信可能（有線でも無線でもよい）に接続されている。第１サーバ２１は、「第１対象」に関する管理を行う。ここで言う「第１対象」とは、第１施設Ｆ１１の、複数のコントローラ３（設備）及びエリア４である。ここでは、第１サーバ２１は、１台のサーバ装置から構成されることを想定するが、複数台のサーバ装置から構成されてもよい。
【００３３】
第１サーバ２１は、第１グループＧ１の各コントローラ３から、当該コントローラ３を識別可能な識別子、及び扉の開閉情報等を含む信号を受信する。また第１サーバ２１は、第１グループＧ１の各撮像部から、当該撮像部を識別可能な識別子、及び撮像された映像（情報）を含む信号を受信する。また第１サーバ２１は、第１グループＧ１の各人感センサから、当該人感センサを識別可能な識別子、及び人を検知した旨等を含む検知信号を受信する。すなわち、第１サーバ２１は、第１グループＧ１のコントローラ３等の設備から受信した各種情報を管理する管理サーバである。また第１サーバ２１は、第１施設Ｆ１１における１又は複数のエリア４のマップ情報（１又は複数の第１エリア４１の第１マップ情報）を管理する。
【００３４】
第１サーバ２１は、インターネット等の公衆網と接続されている第１施設Ｆ１１内のゲートウェイを介して、監視装置５及びＩＤ管理サーバ８と通信可能である。第１サーバ２１は、監視装置５から、ＩＤ管理サーバ８における認証処理に必要なＩＤ情報（オペレータＩＤ）及びパスワードを受信すると、ＩＤ管理サーバ８に転送する。第１サーバ２１は、ＩＤ管理サーバ８から認証結果を受信すると、監視装置５に送信する。また第１サーバ２１は、第１グループＧ１に属するコントローラ３等の設備から受信した情報、及び第１マップ情報等を、（後述する第１アクセスのための認証に成功した場合に）監視装置５に送信する。
【００３５】
第２グループＧ２は、図１に示すように、例えば、第２サーバ２２と、複数（図示例では３つ）のコントローラ３（設備）とから構成される。第２グループＧ２は、第１グループＧ１と同様に、１又は複数の撮像部（設備：例えばカメラ）、及び１又は複数の人感センサ（設備）を更に含んでもよい。
【００３６】
第２グループＧ２の各コントローラ３は、実質的に第１グループＧ１のコントローラ３と共通の構成を有しているため、説明を省略する。
【００３７】
第２サーバ２２は、本開示における「複数のサーバ２」を構成する１つのサーバである。第２サーバ２２は、例えばＷｅｂサーバである。第２サーバ２２は、第２施設Ｆ１２内の部屋（サーバ管理室等）に設置される。第２サーバ２２は、第２グループＧ２に属する複数のコントローラ３、撮像部、及び人感センサ等と通信可能（有線でも無線でもよい）に接続されている。第２サーバ２２は、「第２対象」に関する管理を行う。ここで言う「第２対象」とは、第２施設Ｆ１２の、複数のコントローラ３（設備）及びエリア４である。つまり、第２サーバ２２は、第１サーバ２１の「第１対象」とは異なる「第２対象」に関する管理を行う。ここでは、第２サーバ２２は、１台のサーバ装置から構成されることを想定するが、複数台のサーバ装置から構成されてもよい。
【００３８】
第２サーバ２２は、第２グループＧ２の各コントローラ３から、当該コントローラ３を識別可能な識別子、及び扉の開閉情報等を含む信号を受信する。また第２サーバ２２は、第２グループＧ２の各撮像部から、当該撮像部を識別可能な識別子、及び撮像された映像（情報）を含む信号を受信する。また第２サーバ２２は、第２グループＧ２の各人感センサから、当該人感センサを識別可能な識別子、及び人を検知した旨等を含む検知信号を受信する。すなわち、第２サーバ２２は、第２グループＧ２のコントローラ３等の設備から受信した各種情報を管理する管理サーバである。また第２サーバ２２は、第２施設Ｆ１２における１又は複数のエリア４のマップ情報（１又は複数の第２エリア４２の第２マップ情報）を管理する。
【００３９】
第２サーバ２２は、インターネット等の公衆網と接続されている第２施設Ｆ１２内のゲートウェイを介して、監視装置５及びＩＤ管理サーバ８と通信可能である。第２サーバ２２は、監視装置５から、ＩＤ管理サーバ８における認証処理に必要なＩＤ情報（オペレータＩＤ）及びパスワードを受信すると、ＩＤ管理サーバ８に転送する。第２サーバ２２は、ＩＤ管理サーバ８から認証結果を受信すると、監視装置５に送信する。また第２サーバ２２は、第２グループＧ２のコントローラ３等の設備から受信した情報、及び第２マップ情報等を、（後述する第１アクセスのための認証に成功した場合に）監視装置５に送信する。
【００４０】
（２．３）監視装置
監視装置５は、複数の施設Ｆ１を一括的に監視する監視者（又は管理者）によって利用され得る。監視装置５は、複数のサーバ２と通信可能である。監視装置５は、例えば、警備会社、又は複数の施設Ｆ１のいずれかにおける、監視室等に設置される。監視装置５は、例えば、後述の表示部６１が付設されたパーソナルコンピュータとして構成される。
【００４１】
監視装置５は、画像処理部６０及び表示部６１等を有している。画像処理部６０及び表示部６１は、本開示における「表示システム６」を構成する。
【００４２】
表示部６１は、図２〜図４に示すように、例えば液晶ディスプレイからなる表示画面６１０を有している。表示部６１は、画像処理部６０にて生成された画像を表示する。表示部６１は、画像処理部６０を収容する筐体と一体となって設けられてもよいし、別体に設けられてもよい。
【００４３】
画像処理部６０は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、画像処理部６０の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【００４４】
画像処理部６０は、複数のサーバ２に関する情報を表示部６１に画面表示させる。
【００４５】
画像処理部６０は、第１サーバ２１に対する第１アクセスのための認証を受け付けるための認証ウィンドウＷ１（図２参照）を、表示部６１の表示画面６１０に表示させる。具体的には、認証ウィンドウＷ１は、第１サーバ２１への第１アクセスするために必要な情報の入力を受け付けるための入力領域を含む。入力領域は、図２に示すように、監視者に与えられているＩＤ情報（オペレータＩＤ）及びパスワード（以下、まとめて単に「入力情報」と呼ぶこともある）を入力するための２つの領域を含む。認証ウィンドウＷ１は、入力情報の入力後に、入力情報の第１サーバ２１への送信を確定する送信ボタン領域を更に含む。監視者が、マウスを用いてカーソルを入力領域に合わせて入力情報を入力し、それからポインターで送信ボタン領域にクリック操作すると、監視装置５は、入力情報を含む認証要求信号を第１サーバ２１へ送信する。
【００４６】
認証ウィンドウＷ１は、入力領域の他にも上端にメニューバーを含む。認証ウィンドウＷ１は、メニューバーの右端の「×」印の領域をポインターでクリック操作することで、閉じることができる。
【００４７】
認証ウィンドウＷ１は、監視装置５に予めインストールされている専用の管理アプリケーションソフト（以下、単に「管理ソフト」と呼ぶ）を起動することにより、後述する主ウィンドウＷ２（アプリケーション画面）と共に、表示部６１に表示される。認証ウィンドウＷ１は、例えば、Ｗｅｂブラウザ形式で画面表示される。
【００４８】
画像処理部６０は、上述の通り、管理ソフトを起動することにより、主ウィンドウＷ２を、表示部６１に表示させる。主ウィンドウＷ２は、複数のサーバ２から取得される情報を提示するための、縦長のウィンドウである。主ウィンドウＷ２は、認証ウィンドウＷ１とは別枠のウィンドウであり、認証ウィンドウＷ１の左横に並んで出力される。
【００４９】
主ウィンドウＷ２は、図２〜図４に示すように、操作領域Ｂ１と、表示領域Ｂ２とを、含む。
【００５０】
操作領域Ｂ１は、「１」〜「５」でそれぞれ示される５つの正方形の小領域Ｂ１０（図２参照）を含む。以下、５つの小領域Ｂ１０を互い区別する場合には、左から順に小領域Ｂ１１〜Ｂ１５と呼ぶこともある。５つの小領域Ｂ１０は、（ＩＤ管理サーバ８を除く）複数のサーバ２にそれぞれ関する接続状態が「接続」か「未接続」か（状態情報）を、色の違いにより、監視者に提示する。例えば、小領域Ｂ１１の色は、第１サーバ２１に関する接続状態を示し、小領域Ｂ１２の色は、第２サーバ２２に関する接続状態を示す。また小領域Ｂ１３〜Ｂ１５は、第３〜第５サーバ（図１では図示を省略）に関する接続状態を示す。つまり、主ウィンドウＷ２（第２ウィンドウ）は、第１サーバ２１及び第２サーバ２２に対するアクセスの状態を示す状態情報を含む。
【００５１】
管理ソフトの起動直後で、第１サーバ２１へのアクセスのための認証が未だ完了していない場合、５つの小領域Ｂ１０の色は、全て、「未接続」であることを表す灰色（図２参照：図示例では淡いドットハッチング）である。サーバ２に対する接続状態が「接続」になると、画像処理部６０は、例えば、当該サーバ２に対応する小領域Ｂ１０の色を、白色に変更する。
【００５２】
また操作領域Ｂ１は、監視者からの選択操作を受け付ける領域として機能する。サーバ２に対する接続状態が「接続」であれば、監視者は、例えばマウスを用いてポインターで、接続中を示す白色の小領域Ｂ１０をクリック操作して選択することが可能である。画像処理部６０は、選択された小領域Ｂ１０に対応するサーバ２に関する情報を、後述する副ウィンドウＷ３として、表示部６１に表示させる。また画像処理部６０は、選択された小領域Ｂ１０の色を、白色から、緑色（図３及び図４参照：図示例では濃いドットハッチング）に変更する。
【００５３】
主ウィンドウＷ２は、図２〜図４に示すように、施設Ｆ１の名称を文字で表示するための名称領域Ｂ３を、更に含む。名称領域Ｂ３は、操作領域Ｂ１の直ぐ下に配置される。監視装置５は、自機の記憶部に、例えば各サーバ２の識別情報と名称情報とを対応付けしたデータを記憶している。記憶部は、ＲＯＭ（Read Only Memory）、ＲＡＭ（Random Access Memory）、又はＥＥＰＲＯＭ（Electrically Erasable Programmable Read Only Memory）等から選択されるデバイスで構成される。画像処理部６０は、記憶部内のデータを参照して、操作領域Ｂ１にて現在選択中にある（緑色の）小領域Ｂ１０に対応するサーバ２の名称（名称情報）を表示部６１に表示させる。なお、全てのサーバ２に対する接続状態が「未接続」で、選択中の小領域Ｂ１０が存在しなければ、図２に示すように、名称領域Ｂ３は、空欄状態である。
【００５４】
表示領域Ｂ２は、イベント情報を表示するための領域である。画像処理部６０は、接続状態が「接続」である全てのサーバ２（ＩＤ管理サーバ８を除く）から取得する情報に基づいて、サーバ２で発生したイベントに関する情報（報知情報）を、文字で表示領域Ｂ２に出力する。言い換えると、主ウィンドウＷ２は、認証に成功した監視者（ユーザ）に報知するための、情報（第１サーバ２１から取得する第１情報及び第２サーバ２２から取得する第２情報を含む）に基づく報知情報を含む。
【００５５】
表示領域Ｂ２における「Ｎｏ．００１」、「Ｎｏ．００２」、「Ｎｏ．００３」・・・で示される複数のイベント欄Ｂ２０は、それぞれ、１つのイベント情報を提示する。各イベント欄Ｂ２０は、例えば、５行の内容表示領域Ｂ２１を含む。
【００５６】
各イベント欄Ｂ２０の１行目の内容表示領域Ｂ２１には、例えば、イベントが発生した日時に関する日時情報が出力され得る。
【００５７】
各イベント欄Ｂ２０の２行目の内容表示領域Ｂ２１には、例えば、イベントが発生した場所に関する場所情報が出力され得る。場所情報は、施設Ｆ１を特定可能な情報や、サーバ２を特定可能な情報、コントローラ３を特定可能な情報、コントローラ３が対応する扉を特定可能な情報等である。特定可能な情報は、名称情報でも、コード情報でもよい。要するに、報知情報は、サーバ２が管轄する場所情報を含むため、第１サーバ２１又は第２サーバ２２を特定可能な情報を含む、と言える。したがって、主ウィンドウＷ２を通じて、どのサーバ２に関する報知情報かを知ることができるため、管理又は監視等の業務がより改善される。
【００５８】
各イベント欄Ｂ２０の３行目〜５行目の内容表示領域Ｂ２１には、イベントの種類を特定可能な情報が出力され得る。イベントの種類は、一例として、通信異常、施解錠異常、通信異常の復旧、及び不審者検知等である。
【００５９】
画像処理部６０は、接続状態が「接続」である全てのサーバ２（ＩＤ管理サーバ８を除く）におけるイベント情報を、リアルタイムでイベント欄Ｂ２０に出力する。最新のイベント情報は、常に「Ｎｏ．００１」のイベント欄Ｂ２０に出力される。最新のイベント情報が出力される度に、古いイベント情報は、「Ｎｏ．００２」、「Ｎｏ．００３」へと順に繰り下げられて出力される。
【００６０】
画像処理部６０は、主ウィンドウＷ２上における操作領域Ｂ１への選択操作に応じて、第２アクセスにより第２サーバ２２から取得される第２情報に関する副ウィンドウＷ３（図４参照：後述の第２副ウィンドウＷ３２）を、表示部６１に画面表示させる。特に、画像処理部６０は、主ウィンドウＷ２上における操作領域Ｂ１への選択操作に応じて、複数の副ウィンドウＷ３に関する画面遷移を実行する。
【００６１】
複数の副ウィンドウＷ３は、例えば、第１副ウィンドウＷ３１（図３参照）と、第２副ウィンドウＷ３２（図４参照）と、を含む。各副ウィンドウＷ３は、例えば、Ｗｅｂブラウザ形式で画面表示される。第１副ウィンドウＷ３１は、第１サーバ２１が管轄する１又は複数の第１エリア４１に関する第１マップ情報を示す。第２副ウィンドウＷ３２は、第２サーバ２２が管轄する１又は複数の第２エリア４２に関する第２マップ情報を示す。第１マップ情報は、第１情報に含まれ得る。第２マップ情報は、第２情報に含まれ得る。
【００６２】
例えば、第１サーバ２１の接続状態が「接続」であることを示す、白色の小領域Ｂ１１をクリック操作すると、画像処理部６０は、第１マップ情報を示す第１副ウィンドウＷ３１を表示部６１に表示させる。ここでさらに第２サーバ２２の接続状態が「接続」であることを示す、白色の小領域Ｂ１２をクリック操作すると、画像処理部６０は、第１副ウィンドウＷ３１を、第２副ウィンドウＷ３２へ切り替える。この場合、画像処理部６０は、第１副ウィンドウＷ３１を閉じて非表示にしてもよいし、第２副ウィンドウＷ３２の裏側に隠れるように第１副ウィンドウＷ３１を移動させて非表示にしてもよい。要するに、主ウィンドウＷ２は、第１マップ情報と第２マップ情報とを切り替えるための操作領域Ｂ１を含み、操作領域Ｂ１に対する選択操作に応じて、第１副ウィンドウＷ３１と第２副ウィンドウＷ３２とが切り替え可能となっている。
【００６３】
なお、マップ情報の切り替えは、操作領域Ｂ１へのクリック操作による第１副ウィンドウＷ３１と第２副ウィンドウＷ３２との切り替えに連動していなくてもよい。例えば、主ウィンドウＷ２に、マップ切替用の操作領域が表示されて、そのマップ切替用の操作領域に対する操作に応じて、第１副ウィンドウＷ３１に表示させるマップ情報をフロア単位で切り替えできてもよい。あるいは、例えば、第１副ウィンドウＷ３１上に各フロアに相当するアイコンを表示させて、当該アイコンへのクリック操作によって、第１副ウィンドウＷ３１に表示させるマップ情報をフロア単位で切り替えできてもよい。
【００６４】
副ウィンドウＷ３は、他にも、上端にメニューバーを含む。第１エリア４１が複数存在する場合（複数フロアが存在する場合）、第１副ウィンドウＷ３１に表示される第１マップ情報は、メニューバーを通じて、複数の第１エリア４１から１つを選択できてもよい。同様に、第２エリア４２が複数存在する場合、第２副ウィンドウＷ３２に表示される第２マップ情報は、メニューバーを通じて、複数の第２エリア４２から１つを選択できてもよい。
【００６５】
（２．４）ＩＤ管理サーバ
ＩＤ管理サーバ８は、複数のオペレータＩＤ及びパスワードを一括的に管理し、認証処理を実行する。ＩＤ管理サーバ８は、第１サーバ２１及び第２サーバ２２と通信可能である。ＩＤ管理サーバ８は、本開示における「複数のサーバ２」を構成する１つのサーバである。ＩＤ管理サーバ８は、例えば自機の記憶部に、複数のオペレータＩＤ及びパスワードが対応付けされた参照データを記憶する。記憶部は、ＲＯＭ、ＲＡＭ、又はＥＥＰＲＯＭ等から選択されるデバイスで構成される。参照データにおいては、各オペレータＩＤは、サーバ２から取得される情報の閲覧に関する権限レベルとも紐づけされている。例えば権限レベルが最高レベルに設定されたオペレータＩＤが付与されている監視者は、全ての情報を閲覧でき、権限レベルが下がるにつれて閲覧可能な情報が多く制限されている。
【００６６】
ＩＤ管理サーバ８は、１台のサーバ装置から構成されることを想定するが、複数台のサーバ装置から構成されてもよい。特にＩＤ管理サーバ８の機能は、例えば、第１サーバ２１及び第２サーバ２２のそれぞれに設けられてもよい。またＩＤ管理サーバ８は、施設Ｆ１を利用する利用者が所有するＩＣカードに関する識別情報についても一括的に管理してもよい。
【００６７】
ＩＤ管理サーバ８は、監視装置５と同様に、例えば、警備会社、又は複数の施設Ｆ１のいずれかにおける、監視室等に設置されてもよいし、監視装置５とは異なる場所に設置されてもよい。
【００６８】
ＩＤ管理サーバ８は、図１に示すように、制御部７０を有している。制御部７０は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、制御部７０の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【００６９】
制御部７０は、受付部７１と認証処理部７２とを有している。言い換えると、制御部７０は、受付部７１としての機能と、認証処理部７２としての機能とを有している。受付部７１及び認証処理部７２は、本開示における「認証システム７」を構成する。
【００７０】
受付部７１は、第１サーバ２１に対する第１アクセスのための認証を受け付けるように構成される。すなわち、ＩＤ管理サーバ８は、監視装置５にて認証ウィンドウＷ１に入力情報（オペレータＩＤ及びパスワード）が入力されると、監視装置５から、第１サーバ２１を介して、入力情報を含む認証要求信号を受信する。受付部７１は、認証要求信号の受信により、第１アクセスのための認証（要求）を受け付ける。
【００７１】
認証処理部７２は、第１アクセスのための認証の成否に関する認証処理を実行するように構成される。認証処理部７２は、認証処理にて、ＩＤ管理サーバ８の記憶部内の参照データに、受信した認証要求信号に含まれる入力情報と一致するデータがあるか検索する。一致するデータが存在すれば、認証処理部７２は、「認証成功」と判定する。一致するデータが存在しなければ、認証処理部７２は、「認証失敗」と判定する。
【００７２】
認証処理部７２は、第１アクセスのための認証に成功した場合に、第１アクセスを可能にする。すなわち、認証処理部７２は、第１サーバ２１の「認証成功」と判定した場合、第１アクセスを許可させる指示を含む認証結果信号を、第１サーバ２１を介して、監視装置５へ送信する。すなわち、第１サーバ２１も、認証に成功したという情報を得る。監視装置５は、第１アクセスを許可させる指示を含む認証結果信号を受信すると、第１サーバ２１に対応する小領域Ｂ１１の色を、灰色から白色に変更して、第１サーバ２１の接続状態が「接続」であることを提示する。監視装置５は、「認証成功」の旨を含むメッセージを表示部６１に表示させることが望ましい。そして、監視装置５は、第１アクセスが許可されたことで、第１サーバ２１から第１情報（マップ情報等）を取得可能となり、表示部６１に表示可能となる。
【００７３】
認証処理部７２は、第１サーバ２１の「認証失敗」と判定した場合、第１アクセスを不許可させる指示を含む認証結果信号を、第１サーバ２１を介して、監視装置５へ送信する。すなわち、第１サーバ２１も、認証に失敗したという情報を得る。監視装置５は、第１アクセスを不許可させる指示を含む認証結果信号を受信すると、第１サーバ２１に対応する小領域Ｂ１１の色を灰色のままに維持し、第１サーバ２１の接続状態が「未接続」であることを提示する。監視装置５は、「認証失敗」の旨を含むメッセージを表示部６１に表示させることが望ましい。監視装置５は、第１アクセスが不許可されたことで、第１サーバ２１から第１情報（マップ情報等）を取得不能となる。
【００７４】
ここで本実施形態の認証処理部７２は、第１アクセスのための認証に成功した場合に、さらに第２サーバ２２に対する第２アクセスに関する認証処理を実行して、（認証に成功すれば）第２アクセスを可能にする。つまり、受付部７１が、第２サーバ２２に対する第２アクセスのための認証（要求）を受け付けることなく、認証処理部７２は、第２アクセスに関する認証処理を自動的に実行する。そのため、監視者は、認証ウィンドウＷ１に、第２サーバ２２に対する第２アクセスの許可を得るための入力情報を入力する必要がない。
【００７５】
ここでは一例として、オペレータＩＤは、第１サーバ２１への第１アクセスの権限だけでなく、第２サーバ２２及び第３〜第５サーバへのアクセスの権限も持つように、参照データ内で紐づけされている。要するに、第１サーバ２１のオペレータＩＤと、第２サーバ２２のオペレータＩＤとは、例えば共通である。したがって、通信エラー等の異常や、オペレータＩＤ及びパスワード等の設定ミスが無い限り、第２サーバ２２に対する第２アクセスに関する認証処理が実行されると、第２アクセスは実質的に許可される。
【００７６】
パスワードは、第１サーバ２１と第２サーバ２２とで異なることが望ましい。ＩＤ管理サーバ８は、第１サーバ２１用の第１パスワードと、第２サーバ２２用の第２パスワードとを紐づけた情報を記憶する。入力情報が第１パスワードを含む場合、第２アクセスに関する認証処理を自動的に実行する際には、当該第１パスワードに紐づけされている第２パスワードを用いる。
【００７７】
ただし、パスワードは、オペレータＩＤと同様に、第１サーバ２１と第２サーバ２２とで共通でもよい。さらに逆に、パスワードは、第１サーバ２１と第２サーバ２２とで共通で、オペレータＩＤが、第１サーバ２１と第２サーバ２２とで異なってもよい。この場合、ＩＤ管理サーバ８は、第１サーバ２１用の第１オペレータＩＤと、第２サーバ２２用の第２オペレータＩＤとを紐づけた情報を記憶してもよい。入力情報が第１オペレータＩＤを含む場合、第２アクセスに関する認証処理を自動的に実行する際には、当該第１オペレータＩＤに紐づけされている第２オペレータＩＤを用いる。
【００７８】
認証処理部７２は、第２アクセスのための認証に成功した場合に、第２アクセスを可能にする。認証処理部７２は、第２サーバ２２の「認証成功」と判定した場合、第２アクセスを許可させる指示を含む認証結果信号を、第２サーバ２２を介して、監視装置５へ送信する。すなわち、第２サーバ２２も、認証に成功したという情報を得る。監視装置５は、第２アクセスを許可させる指示を含む認証結果信号を受信すると、第２サーバ２２に対応する小領域Ｂ１２の色を、灰色から白色に変更して、第２サーバ２２の接続状態が「接続」であることを提示する。監視装置５は、第２サーバ２２の「認証成功」の旨を含むメッセージを表示部６１に表示させることが望ましい。そして、監視装置５は、第２アクセスが許可されたことで、第２サーバ２２から第２情報（マップ情報等）を取得可能となり、表示部６１に表示可能となる。
【００７９】
認証処理部７２は、第２サーバ２２の「認証失敗」と判定した場合、第２アクセスを不許可させる指示を含む認証結果信号を、第２サーバ２２を介して、監視装置５へ送信する。すなわち、第２サーバ２２も、認証に失敗したという情報を得る。監視装置５は、第２アクセスを不許可させる指示を含む認証結果信号を受信すると、第２サーバ２２に対応する小領域Ｂ１２の色を灰色のままに維持し、第２サーバ２２の接続状態が「未接続」であることを提示する。監視装置５は、「認証失敗」の旨を含むメッセージを表示部６１に表示させることが望ましい。監視装置５は、第２アクセスが不許可されたことで、第２サーバ２２から第２情報（マップ情報等）を取得不能となる。第２サーバ２２の「認証失敗」は、上述の通り、通信エラーや、オペレータＩＤ及びパスワード等の設定ミスが原因である可能性が高いため、その旨を含むメッセージを表示部６１に表示させることが望ましい。
【００８０】
認証処理部７２は、第１サーバ２１以外のサーバ２に関する認証処理について「認証失敗」と判定しても、対象となるサーバ２を変えて認証処理を実行する。具体的には、認証処理部７２は、第２サーバ２２に関して「認証失敗」と判定しても、第３〜第５サーバに関する認証処理を順次実行する。認証処理部７２は、第２サーバ２２以降の認証処理で「認証失敗」と判定した場合、当該認証処理を、少なくとも１回リトライしてもよい。
【００８１】
（２．５）統合システムの動作
以下、監視者が監視装置５を用いた監視業務を行う際における、統合システム１の動作について説明する。
【００８２】
［認証に関する動作例］
まず、認証に関する動作例について、図５を参照しながら説明する。
【００８３】
監視者は、監視装置５にて、管理ソフトを起動する（ステップＳ１）。監視装置５は、認証ウィンドウＷ１及び主ウィンドウＷ２を、表示部６１に表示する（ステップＳ２）。言い換えると、第１サーバ２１に対する第１アクセスのための認証を受け付ける認証ウィンドウＷ１（第１ウィンドウ）が、表示部６１に表示される（表示方法の第１ステップ、及び表示方法の認証表示ステップ）。なお、この時点で、主ウィンドウＷ２は表示されていなくてもよい。
【００８４】
監視者は、認証ウィンドウＷ１に、オペレータＩＤ及びパスワード（入力情報）を入力する（ステップＳ３）。監視者が入力情報を入力して送信ボタン領域にクリック操作をすると、認証ウィンドウＷ１は、閉じられてもよい。
【００８５】
監視装置５は、監視者から入力情報を受け付けると、入力情報を含む認証要求信号を第１サーバ２１へ送信する（ステップＳ４）。第１サーバ２１は、監視装置５から受信した認証要求信号をＩＤ管理サーバ８に送信する（ステップＳ５）。
【００８６】
ＩＤ管理サーバ８は、第１サーバ２１から受信した認証要求信号を受信する。言い換えると、ＩＤ管理サーバ８の受付部７１は、第１サーバ２１に対する第１アクセスのための認証を受け付ける（ステップＳ６：認証方法の第１ステップ）。
【００８７】
ＩＤ管理サーバ８の認証処理部７２は、入力情報に基づき、認証処理を実行する（ステップＳ７）。そして、第１アクセスのための認証に成功した場合、ＩＤ管理サーバ８は、第１アクセスを可能にする（認証方法の第２ステップ）。すなわち、ＩＤ管理サーバ８は、第１アクセスを許可させる指示を含む認証結果信号を、第１サーバ２１へ送信する（ステップＳ８）。なお、認証に失敗した場合、ＩＤ管理サーバ８は、第１アクセスを不許可させる指示を含む認証結果信号を、第１サーバ２１へ送信する。第１サーバ２１は、ＩＤ管理サーバ８から受信した認証結果信号を監視装置５に送信する（ステップＳ９）。
【００８８】
ここでＩＤ管理サーバ８の認証処理部７２は、第１アクセスのための認証に成功した場合に、さらに第２サーバ２２に対する第２アクセスに関する認証処理（ステップＳ１０）を実行して、第２アクセスを可能にする（認証方法の第３ステップ）。すなわち、ＩＤ管理サーバ８は、第１アクセスのための認証の成功後に、さらに第２アクセスのための認証に成功した場合に、第２アクセスを許可させる指示を含む認証結果信号を、第２サーバ２２へ送信する（ステップＳ１１）。第２サーバ２２は、ＩＤ管理サーバ８から受信した認証結果信号を監視装置５に送信する（ステップＳ１２）。
【００８９】
その結果、監視装置５においては、第１サーバ２１に対する第１アクセスが許可され、さらに第２サーバ２２に対する第２アクセスも許可される。すなわち、監視装置５は、第１サーバ２１から第１情報（マップ情報等）を取得可能（ステップＳ１３）となり、表示部６１に表示可能となる。また監視装置５は、第２サーバ２２から第２情報（マップ情報等）を取得可能（ステップＳ１３）となり、表示部６１に表示可能となる。監視装置５は、主ウィンドウＷ２における操作領域Ｂ１の小領域Ｂ１１及びＢ１２の色を白色にして、第１サーバ２１及び第２サーバ２２の接続状態が「接続」であることを提示する。
【００９０】
なお、認証に失敗した場合には、監視装置５は、該当するサーバ２から情報を取得できない。特に第１サーバ２１に対する第１アクセスのための認証に失敗すると、第２サーバ２２に対する第２アクセスのための認証処理も実行されないため、監視装置５は、第１サーバ２１及び第２サーバ２２から情報を取得できない。
【００９１】
以降、監視装置５の画像処理部６０は、接続状態が「接続」である全てのサーバ２（ここでは第１〜第４サーバ）におけるイベント情報（報知情報）を、「最新警報表示」として、リアルタイムで主ウィンドウＷ２の表示領域Ｂ２に出力する（ステップＳ１４）。言い換えると、画像処理部６０は、第１アクセスのための認証に成功した場合に、第１情報（第１イベント情報）と第２情報（第２イベント情報）とに関する主ウィンドウＷ２（第２ウィンドウ）を、表示部（６１）に表示させる。（表示方法の第２ステップ）。さらに言い換えると、画像処理部６０は、第１アクセスのための認証に成功した場合に、第１サーバ２１から取得される第１情報に関する主ウィンドウＷ２を、表示部６１に表示させる（表示方法の主表示ステップ）。
【００９２】
すなわち、表示領域Ｂ２は、第１イベント情報と第２イベント情報の両方を表示する。第１イベント情報は、第１サーバ２１から取得される。第１イベント情報は、第１サーバ２１が管轄する第１エリア４１（図３参照）で発生するイベントに関する情報である。第２イベント情報は、第１アクセスのための認証の成功に伴って実行される第２サーバ２２に対する第２アクセスにより第２サーバ２２から取得される。第２イベント情報は、第２サーバ２２が管轄する第２エリア４２（図４参照）で発生するイベントに関する情報である。このように、第１情報（第１イベント情報）と第２情報（第２イベント情報）を含む報知情報が主ウィンドウＷ２に表示されるため、監視者は、主ウィンドウＷ２を通じて、報知情報を知ることができるため、管理又は監視等の業務がより改善される。
【００９３】
なお、詳細な説明を省略するが、ＩＤ管理サーバ８は、第２サーバ２２に対する第２アクセスに関する認証処理の実行後、他のサーバ２（他の３つの施設Ｆ１をそれぞれ管轄する第３〜第５サーバ）についても順次認証処理を実行する。図３及び図４の例では、監視装置５は、第３〜第５サーバに対するアクセスのための認証結果を受信して、小領域Ｂ１３及びＢ１４の色を白色にして、第３サーバ及び第４サーバの接続状態も「接続」であることを提示する。図示例では、第５サーバは、認証に失敗している。監視装置５は、小領域Ｂ１５の色を灰色のままに維持して、第５サーバの接続状態が「未接続」であることを提示する。
【００９４】
［認証後の動作例］
次に、認証後の動作例について、図３及び図４を参照しながら説明する。
【００９５】
監視者は、主ウィンドウＷ２における（接続中を示す）白色を示す小領域Ｂ１１（「１」）をポインターでクリック操作する（「１」の選択）。
【００９６】
監視装置５は、当該クリック操作に応じて、小領域Ｂ１１の色を、白色から選択中であることを示す緑色に変更し、さらに、第１マップ情報を示す第１副ウィンドウＷ３１（図３参照）を、主ウィンドウＷ２の右横に並ぶように、表示部６１に表示させる。第１副ウィンドウＷ３１は、第１サーバ２１が管轄する第１エリア４１の第１マップ情報（例えば平面見取図）を含む。第１マップ情報は、扉、コントローラ３、撮像部、及び人感センサ等の位置を示すマーカを含んでもよい。
【００９７】
また監視装置５は、主ウィンドウＷ２の名称領域Ｂ３に、現在選択中の第１サーバ２１を特定可能な情報として、第１サーバ２１が管轄する第１施設Ｆ１１の名称「オフィスＡ棟」を表示する。言い換えると、主ウィンドウＷ２は、第１サーバ２１を特定可能な情報を含む。
【００９８】
監視者が、例えば、第１副ウィンドウＷ３１が示す第１マップ情報上の撮像部のマーカをポインターでクリック操作すると、当該撮像部が現在撮像中の映像を示す別のウィンドウが、第１副ウィンドウＷ３１上に重複するようにポップアップ表示されてもよい。また監視者が、第１副ウィンドウＷ３１が示す第１マップ情報上のコントローラ３のマーカをポインターでクリック操作すると、当該コントローラ３に関する識別情報等、及び施解錠に関する履歴情報等がポップアップ表示されてもよい。
【００９９】
例えば、監視者は、第１サーバ２１が管轄する第１エリア４１の監視業務を終えて、次に第２サーバ２２が管轄する第２エリア４２の監視業務を行うとする。監視者は、主ウィンドウＷ２における（接続中を示す）白色を示す小領域Ｂ１２（「２」）をポインターでクリック操作する（「２」の選択）。
【０１００】
すると監視装置５は、当該クリック操作に応じて、小領域Ｂ１２の色を、白色から選択中であることを示す緑色に変更し、さらに、第２マップ情報を示す第２副ウィンドウＷ３２（図４参照）を、主ウィンドウＷ２の右横に並ぶように、表示部６１に表示させる。すなわち、監視装置５は、操作領域Ｂ１に対する選択操作に応じて、第２サーバ２２に対する第２アクセスにより第２サーバ２２から取得される第２情報に関する副ウィンドウＷ３を、表示部６１に表示させる（表示方法の副表示ステップ）。さらに言い換えると、監視装置５は、操作領域Ｂ１に対する選択操作に応じて、第１マップ情報を示す第１副ウィンドウＷ３１から、第２マップ情報を示す第２副ウィンドウＷ３２へ切り替える（画面遷移：副表示ステップの切替ステップ）。
【０１０１】
第２副ウィンドウＷ３２は、第２サーバ２２が管轄する第２エリア４２の第２マップ情報（例えば平面見取図）を含む。第２マップ情報は、第１マップ情報と同様に、扉、コントローラ３、撮像部、及び人感センサ等の位置を示すマーカを含んでもよい。
【０１０２】
また監視装置５は、主ウィンドウＷ２の名称領域Ｂ３に、現在選択中の第２サーバ２２を特定可能な情報として、第２サーバ２２が管轄する第２施設Ｆ１２の名称「オフィスＢ棟」を表示する。言い換えると、主ウィンドウＷ２は、第２サーバ２２を特定可能な情報を含む。
【０１０３】
同様に、監視者が小領域Ｂ１３（又は小領域Ｂ１４）をポインターでクリック操作すると、当該クリック操作に応じて、第３サーバ（又は第４サーバ）が管轄するエリアのマップ情報を示す副ウィンドウＷ３に切り替わる。
【０１０４】
本実施形態においては、上述した動作例の通り、第１アクセスのための認証に成功した場合に、第２サーバ２２に対する第２アクセスのための認証を受け付けることなく、第２アクセスに関する認証処理を実行して、第２アクセスを可能にする。そのため、統合システム１を利用するユーザ（例えば施設Ｆ１の管理者又は監視者）にとっては、第１アクセスのための認証に関する入力操作を行った後に、さらに第２アクセスのための認証に関する入力操作を行うといった手間が省ける。その結果、データ管理に関するセキュリティの低下を抑制しつつ、管理又は監視等の業務の改善を図ることができる。
【０１０５】
またＩＤ管理サーバ８にて、認証方法の第１〜第３ステップが実行されるため、例えば監視装置５（管理端末）にて実行される場合に比べて、監視装置５の構成の簡素化を図ることができる。
【０１０６】
また上述した動作例の通り、第１アクセスのための認証に成功した場合に、第１サーバ２１から取得される第１情報と、第２サーバ２２から取得される第２情報と、に関する主ウィンドウＷ２（第２ウィンドウ）が表示される。そのため、データ管理に関するセキュリティの低下を抑制しつつ、管理又は監視等の業務の改善を図ることができる。
【０１０７】
さらに上述した動作例の通り、第１アクセスのための認証に成功した場合に、第１サーバ２１から取得される第１情報に関する主ウィンドウＷ２が表示され、第２サーバ２２から取得される第２情報に関する副ウィンドウＷ３が表示される。そのため、データ管理に関するセキュリティの低下を抑制しつつ、管理又は監視等の業務の改善を図ることができる。
【０１０８】
また上述した動作例の通り、主ウィンドウＷ２（第２ウィンドウ）は、第１サーバ２１及び第２サーバ２２に対するアクセスの状態を示す状態情報（操作領域Ｂ１の小領域Ｂ１０の色の違い）を含む。そのため、主ウィンドウＷ２を通じて、サーバ２に対するアクセスの状態を知ることができるため、管理又は監視等の業務がより改善される。また、操作領域Ｂ１に対する選択操作に応じて、画面遷移が実行されるため、管理業務がより改善される。
【０１０９】
（３）変形例
上記実施形態は、本開示の様々な実施形態の一つに過ぎない。上記実施形態は、本開示の目的を達成できれば、設計等に応じて種々の変更が可能である。上記実施形態に係る認証システム７は、認証方法、コンピュータプログラム、又はコンピュータプログラムを記録した非一時的記録媒体等で具現化されてもよい。また上記実施形態に係る表示システム６と同様の機能は、表示方法、コンピュータプログラム、又はコンピュータプログラムを記録した非一時的記録媒体等で具現化されてもよい。
【０１１０】
以下、上記実施形態の変形例を列挙する。以下に説明する変形例は、適宜組み合わせて適用可能である。以下では、上記実施形態を「基本例」と呼ぶこともある。
【０１１１】
本開示における表示システム６及び認証システム７は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示システム６及び認証システム７としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１１２】
また、表示システム６及び認証システム７の各々における複数の機能が、１つのハウジング内に集約されていることは表示システム６及び認証システム７に必須の構成ではない。表示システム６及び認証システム７の各々の構成要素は、複数のハウジングに分散して設けられていてもよい。反対に、表示システム６及び認証システム７の各々における複数の機能が、１つのハウジング内に集約されてもよい。さらに、表示システム６及び認証システム７の各々の少なくとも一部の機能、例えば、表示システム６及び認証システム７の各々の一部の機能がクラウド（クラウドコンピューティング）等によって実現されてもよい。
【０１１３】
基本例では、認証方法の第１〜第３ステップは、ＩＤ管理サーバ８にて実行される。しかし、認証方法の第１〜第３ステップは、ＩＤ管理サーバ８を除く他のサーバ２で実行されてもよいし、監視装置５（管理端末）で実行されてもよい。認証方法の第１〜第３ステップが他のサーバ２又は監視装置５で実行される場合、専用の認証サーバ（ＩＤ管理サーバ８）が不要となり、例えば設置コスト等を削減できる。特にＩＤ管理サーバ８の機能は、例えば、第１サーバ２１及び第２サーバ２２のそれぞれに設けられてもよい。この場合においても、監視者は、第１サーバ２１へのログインに成功すれば、第２サーバ２２へのログインも自動的に可能となる。同様に、監視者は、第２サーバ２２へのログインに成功すれば、第１サーバ２１へのログインも自動的に可能となる。サーバ２の数が増えても（第３サーバ及び第４サーバ等）、これらの複数のサーバ２のそれぞれに、ＩＤ管理サーバ８の機能が設けられることで、どのサーバ２からログインを開始しても、他のサーバ２へのログインも自動的に可能となる。
【０１１４】
基本例では、第１サーバ２１の第１対象は、第１施設Ｆ１１の、複数のコントローラ３（設備）及びエリア４で、第２サーバ２２の第２対象は、第２施設Ｆ１２の、複数のコントローラ３（設備）及びエリア４である。しかし、第１対象が、第１施設Ｆ１１のコントローラ３で、第２対象が同じ第１施設Ｆ１１のエリア４でもよい。
【０１１５】
基本例における認証ウィンドウＷ１、主ウィンドウＷ２、副ウィンドウＷ３は、上端にメニューバーを含むウィンドウ表示形式のものである。しかし、認証ウィンドウＷ１、主ウィンドウＷ２、副ウィンドウＷ３は、単なる画面（画像領域）でもよい。認証ウィンドウＷ１は、認証画面と置換可能である。主ウィンドウＷ２は、主画面と置換可能である。副ウィンドウＷ３は、副画面と置換可能である。
【０１１６】
基本例では、第１サーバ２１を起点として、第１アクセスするための認証を最初に行なっているが、第２サーバ２２を起点として、第２アクセスするための認証を最初に行なえてもよい。例えば、認証ウィンドウＷ１のメニューバーから、最初にアクセスしたいサーバ２を（例えばＵＲＬ情報で）指定できてもよい。
【０１１７】
監視装置５は、例えばタブレット型の携帯端末でもよい。表示部６１は、タッチパネル型のディスプレイでもよい。例えば、操作領域Ｂ１へのタッチ操作によって、複数の副ウィンドウＷ３の画面遷移が可能であってもよい。
【０１１８】
（４）まとめ
以上説明したように、第１の態様に係る認証方法は、１又は複数の施設（Ｆ１）内における監視、管理及び制御の少なくとも１つを行う統合システム（１）の複数のサーバ（２）に関する認証方法である。複数のサーバ（２）は、少なくとも第１サーバ（２１）と第２サーバ（２２）とを含む。認証方法は、第１ステップと、第２ステップと、第３ステップと、を含む。第１ステップにて、第１サーバ（２１）に対する第１アクセスのための認証を受け付ける。第２ステップにて、第１アクセスのための認証に成功した場合に、第１アクセスを可能にする。第３ステップにて、第１アクセスのための認証に成功した場合に、さらに第２サーバ（２２）に対する第２アクセスに関する認証処理を実行して、第２アクセスを可能にする。第１の態様によれば、データ管理に関するセキュリティの低下を抑制しつつ、管理又は監視等の業務の改善を図ることができる認証方法を提供できる。
【０１１９】
第２の態様に係る認証方法に関して、第１の態様において、第１サーバ（２１）は、第１対象に関する監視、管理、及び制御の少なくとも１つを行う。第２サーバ（２２）は、第１対象とは異なる第２対象に関する監視、管理、及び制御の少なくとも１つを行う。第１対象は、１又は複数の施設（Ｆ１）内における、設備（コントローラ３）及びエリア（４）の少なくとも１つである。第２の態様によれば、互いに対象が異なる第１サーバ（２１）及び第２サーバ（２２）に対して、データ管理に関するセキュリティの低下を抑制しつつ、管理又は監視等の業務の改善を図ることができる。
【０１２０】
第３の態様に係る認証方法に関して、第１の態様又は第２の態様において、統合システム（１）における、管理端末（例えば監視装置５）にて、第１ステップ、第２ステップ、及び第３ステップを実行する。管理端末（例えば監視装置５）は、第１サーバ（２１）及び第２サーバ（２２）に通信可能に接続される。第３の態様によれば、専用の認証サーバが不要となり、例えば設置コスト等を削減できる。
【０１２１】
第４の態様に係る認証方法に関して、第１の態様又は第２の態様において、複数のサーバ（２）のいずれかのサーバ（例えばＩＤ管理サーバ８）にて、第１ステップ、第２ステップ、及び第３ステップを実行する。第４の態様によれば、例えば管理端末（例えば監視装置５）にて実行される場合に比べて、管理端末の構成の簡素化を図ることができる。
【０１２２】
第５の態様に係る表示方法は、１又は複数の施設（Ｆ１）内における監視、管理及び制御の少なくとも１つを行う統合システム（１）の複数のサーバ（２）に関する情報を、画面表示する表示部（６１）を有した表示システム（６）の表示方法である。複数のサーバ（２）は、少なくとも第１サーバ（２１）と第２サーバ（２２）とを含む。表示方法は、第１ステップと、第２ステップと、を含む。第１ステップにて、第１サーバ（２１）に対する第１アクセスのための認証を受け付ける第１ウィンドウ（認証ウィンドウＷ１）を表示部（６１）に表示する。第２ステップにて、第１アクセスのための認証に成功した場合に、第２ウィンドウ（主ウィンドウＷ２）を、表示部（６１）に表示する。第２ウィンドウ（主ウィンドウＷ２）は、第１サーバ（２１）から取得される第１情報と、認証の成功に伴って実行される第２サーバ（２２）に対する第２アクセスにより第２サーバ（２２）から取得される第２情報と、に関する。第５の態様によれば、データ管理に関するセキュリティの低下を抑制しつつ、管理又は監視等の業務の改善を図ることができる表示方法を提供できる。
【０１２３】
第６の態様に係る表示方法に関して、第５の態様において、第２ウィンドウ（主ウィンドウＷ２）は、認証に成功したユーザに報知するための、第１情報及び第２情報に基づく報知情報を含む。第６の態様によれば、第２ウィンドウ（主ウィンドウＷ２）を通じて、報知情報を知ることができるため、管理又は監視等の業務がより改善される。
【０１２４】
第７の態様に係る表示方法に関して、第６の態様において、報知情報は、第１サーバ（２１）又は第２サーバ（２２）を特定可能な情報を含む。第７の態様によれば、第２ウィンドウ（主ウィンドウＷ２）を通じて、どのサーバ（２）に関する報知情報かを知ることができるため、管理又は監視等の業務がより改善される。
【０１２５】
第８の態様に係る表示方法に関して、第５〜第７の態様のいずれか１つにおいて、第２ウィンドウ（主ウィンドウＷ２）は、第１サーバ（２１）及び第２サーバ（２２）に対するアクセスの状態を示す状態情報を含む。第８の態様によれば、第２ウィンドウ（主ウィンドウＷ２）を通じて、サーバ（２）のアクセスの状態を知ることができるため、管理又は監視等の業務がより改善される。
【０１２６】
第９の態様に係る表示方法は、１又は複数の施設（Ｆ１）内における監視、管理及び制御の少なくとも１つを行う統合システム（１）の複数のサーバ（２）に関する情報を、画面表示する表示部（６１）を有した表示システム（６）の表示方法である。複数のサーバ（２）は、少なくとも第１サーバ（２１）と第２サーバ（２２）とを含む。表示方法は、認証表示ステップと、主表示ステップと、副表示ステップと、を含む。認証表示ステップにて、第１サーバ（２１）に対する第１アクセスのための認証を受け付ける認証ウィンドウ（Ｗ１）を表示部（６１）に表示する。主表示ステップにて、第１アクセスのための認証に成功した場合に、第１サーバ（２１）から取得される第１情報に関する主ウィンドウ（Ｗ２）を、表示部（６１）に表示する。副表示ステップにて、主ウィンドウ（Ｗ２）上における選択操作に応じて、第２サーバ（２２）に対する第２アクセスにより第２サーバ（２２）から取得される第２情報に関する副ウィンドウ（Ｗ３）を、表示部（６１）に表示する。第９の態様によれば、データ管理に関するセキュリティの低下を抑制しつつ、管理又は監視等の業務の改善を図ることができる表示方法を提供できる。
【０１２７】
第１０の態様に係る表示方法に関して、第９の態様において、主ウィンドウ（Ｗ２）は、第１サーバ（２１）又は第２サーバ（２２）を特定可能な情報を含む。第１０の態様によれば、主ウィンドウ（Ｗ２）を通じて、サーバ（２）を特定できるため、管理又は監視等の業務がより改善される。
【０１２８】
第１１の態様に係る表示方法に関して、第９の態様又は第１０の態様において、主ウィンドウ（Ｗ２）は、第１サーバ（２１）及び第２サーバ（２２）に対するアクセスの状態を示す状態情報を含む。第１１の態様によれば、主ウィンドウ（Ｗ２）を通じて、サーバ（２）のアクセスの状態を知ることができるため、管理又は監視等の業務がより改善される。
【０１２９】
第１２の態様に係る表示方法に関して、第９〜第１１の態様のいずれか１つにおいて、主ウィンドウ（Ｗ２）は、操作領域（Ｂ１）を含む。副表示ステップにて、操作領域（Ｂ１）に対する選択操作に応じて、副ウィンドウ（Ｗ３）を含む複数の副ウィンドウ（Ｗ３）に関する画面遷移を実行する。第１２の態様によれば、操作領域（Ｂ１）に対する選択操作に応じて画面遷移が実行されるため、管理又は監視等の業務がより改善される。
【０１３０】
第１３の態様に係る表示方法に関して、第９〜第１２の態様のいずれか１つにおいて、第１情報は、第１サーバ（２１）が管轄する第１エリア（４１）で発生するイベントに関する第１イベント情報を少なくとも含む。第２情報は、第２サーバ（２２）が管轄する第２エリア（４２）で発生するイベントに関する第２イベント情報を少なくとも含む。主ウィンドウ（Ｗ２）は、第１イベント情報と第２イベント情報の両方を表示するための表示領域（Ｂ２）を含む。第１３の態様によれば、表示領域（Ｂ２）を通じて、第１イベント情報と第２イベント情報の両方を知ることができるため、管理又は監視等の業務がより改善される。
【０１３１】
第１４の態様に係る表示方法に関して、第９〜第１３の態様のいずれか１つにおいて、第１情報は、第１サーバ（２１）が管轄する第１エリア（４１）に関する第１マップ情報を少なくとも含む。第２情報は、第２サーバ（２２）が管轄する第２エリア（４２）に関する第２マップ情報を少なくとも含む。主ウィンドウ（Ｗ２）は、第１マップ情報と第２マップ情報とを切り替えるための操作領域（Ｂ１）を含む。副表示ステップは、操作領域（Ｂ１）に対する選択操作に応じて、第１マップ情報を示す第１副ウィンドウ（Ｗ３１）と、副ウィンドウ（Ｗ３）としての第２マップ情報を示す第２副ウィンドウ（Ｗ３２）と、を切り替える切替ステップを含む。第１４の態様によれば、第１副ウィンドウ（Ｗ３１）と、第２副ウィンドウ（Ｗ３２）との切り替えを容易に行えるため、管理又は監視等の業務がより改善される。
【０１３２】
第１５の態様に係るプログラムは、１以上のプロセッサに、第１〜第４の態様のいずれか１つにおける認証方法、又は第５〜第１４の態様のいずれか１つにおける表示方法を実行させるためのプログラムである。第１５の態様によれば、データ管理に関するセキュリティの低下を抑制しつつ、管理又は監視等の業務の改善を図ることが可能な機能を提供できる。
【０１３３】
第１６の態様に係る認証システム（７）は、１又は複数の施設（Ｆ１）内における監視、管理及び制御の少なくとも１つを行う統合システム（１）の複数のサーバ（２）に関する認証を行う。複数のサーバ（２）は、少なくとも第１サーバ（２１）と第２サーバ（２２）とを含む。認証システム（７）は、受付部（７１）と、認証処理部（７２）と、を備える。受付部（７１）は、第１サーバ（２１）に対する第１アクセスのための認証を受け付ける。認証処理部（７２）は、第１アクセスのための認証の成否に関する認証処理を実行し、第１アクセスのための認証に成功した場合に、第１アクセスを可能にする。認証処理部（７２）は、第１アクセスのための認証に成功した場合に、さらに第２サーバ（２２）に対する第２アクセスに関する認証処理を実行して、第２アクセスを可能にする。第１６の態様によれば、データ管理に関するセキュリティの低下を抑制しつつ、管理又は監視等の業務の改善を図ることが可能な認証システム（７）を提供できる。
【０１３４】
第１７の態様に係る表示システム（６）は、１又は複数の施設（Ｆ１）内における監視、管理及び制御の少なくとも１つを行う統合システム（１）の複数のサーバ（２）に関する情報を、画面表示する表示部（６１）を備える。複数のサーバ（２）は、少なくとも第１サーバ（２１）と第２サーバ（２２）とを含む。表示システム（６）は、第１サーバ（２１）に対する第１アクセスのための認証を受け付ける第１ウィンドウ（認証ウィンドウＷ１）を表示部（６１）に表示させる画像処理部（６０）を、更に備える。画像処理部（６０）は、第１アクセスのための認証に成功した場合に、第２ウィンドウ（主ウィンドウＷ２）を、表示部（６１）に表示させる。第２ウィンドウ（主ウィンドウＷ２）は、第１サーバ（２１）から取得される第１情報と、認証の成功に伴って実行される第２サーバ（２２）に対する第２アクセスにより第２サーバ（２２）から取得される第２情報と、に関する。第１７の態様によれば、データ管理に関するセキュリティの低下を抑制しつつ、管理又は監視等の業務の改善を図ることが可能な表示システム（６）を提供できる。
【０１３５】
第１８の態様に係る表示システム（６）は、１又は複数の施設（Ｆ１）内における監視、管理及び制御の少なくとも１つを行う統合システム（１）の複数のサーバ（２）に関する情報を、画面表示する表示部（６１）を備える。複数のサーバ（２）は、少なくとも第１サーバ（２１）と第２サーバ（２２）とを含む。表示システム（６）は、第１サーバ（２１）に対する第１アクセスのための認証を受け付ける認証ウィンドウ（Ｗ１）を表示部（６１）に表示させる画像処理部（６０）を、更に備える。画像処理部（６０）は、第１アクセスのための認証に成功した場合に、第１サーバ（２１）から取得される第１情報に関する主ウィンドウ（Ｗ２）を、表示部（６１）に表示させる。また画像処理部（６０）は、主ウィンドウ（Ｗ２）上における選択操作に応じて、第２サーバ（２２）に対する第２アクセスにより第２サーバ（２２）から取得される第２情報に関する副ウィンドウ（Ｗ３）を、表示部（６１）に表示させる。第１８の態様によれば、データ管理に関するセキュリティの低下を抑制しつつ、管理又は監視等の業務の改善を図ることが可能な表示システム（６）を提供できる。
【０１３６】
第２〜第４の態様に係る構成については、第１の態様に係る認証方法に必須の構成ではなく、適宜省略可能である。また第６〜第８の態様に係る構成については、第５の態様に係る表示方法に必須の構成ではなく、適宜省略可能である。また第１０〜第１４の態様に係る構成については、第９の態様に係る表示方法に必須の構成ではなく、適宜省略可能である。
【符号の説明】
【０１３７】
１  統合システム
２  サーバ
２１  第１サーバ
２２  第２サーバ
３  コントローラ（設備）
４  エリア
４１  第１エリア
４２  第２エリア
５  監視装置（管理端末）
６  表示システム
６０  画像処理部
６１  表示部
７  認証システム
７１  受付部
７２  認証処理部
８  ＩＤ管理サーバ（サーバ）
Ｂ１  操作領域
Ｂ２  表示領域
Ｆ１  施設
Ｗ１  認証ウィンドウ（第１ウィンドウ）
Ｗ２  主ウィンドウ（第２ウィンドウ）
Ｗ３  副ウィンドウ
Ｗ３１  第１副ウィンドウ
Ｗ３２  第２副ウィンドウ
【図１】
2020184115.tif 000003
【図２】
2020184115.tif 000004
【図３】
2020184115.tif 000005
【図４】
2020184115.tif 000006
【図５】
2020184115.tif 000007